(57)【特許請求の範囲】
【請求項１】
着用者のバスト部及びヒップ部が覆われたワンピースタイプの水着において、
伸縮性を有し、立体裁断により成形される表地と；
伸縮性を有し、前記表地と異なるカットにより立体裁断された裏地とを備え、
前記表地の前身頃は、少なくとも着用者のバスト中央付近の継ぎ目で上下に接合される２枚の生地を有し、前記継ぎ目において凸状の立体裁断が施され、
前記裏地の前身頃は、少なくとも着用者のバスト中央付近の継ぎ目で上下に接合される第１及び第２の生地と、着用者のアンダーバスト付近で前記第２の生地と上下に接合され、着用者の腹部側に伸びる第３の生地とを有し、前記第１及び第２の生地の継ぎ目において凸状の立体裁断が施され、前記第２及び第３の生地の継ぎ目において凹状の立体裁断が施されていることを特徴とする水着。
【請求項２】
前記裏地の前身頃において、着用者の腹部に相当する領域の伸縮性を他の領域より強くしたことを特徴とする請求項１に記載の水着。
【請求項３】
前記裏地を２枚重ねることにより、当該裏地の腹部に相当する領域の伸縮性を強化したことを特徴とする請求項２に記載の水着。
【請求項４】
着用者のバスト部及びヒップ部が覆われたワンピースタイプの水着において、
伸縮性を有し、立体裁断により成形される表地と；
伸縮性を有し、前記表地と異なるカットにより立体裁断された裏地とを備え、
前記表地の後身頃は、少なくとも着用者のヒップ中央付近の継ぎ目で左右に接合される２枚の生地を有し、前記継ぎ目において凸状の立体裁断が施され、
前記裏地の後身頃は、少なくとも着用者のヒップ中央付近の継ぎ目で左右に接合される第１及び第２の内側生地と、当該第１及び第２の内側生地の外側に各々接合される第１及び第２の外側生地とを有し、前記第１及び第２の内側生地の継ぎ目において凹状の立体裁断が施され、前記第１の内側生地及び第１の外側生地の継ぎ目と、前記第２の内側生地及び第２の外側生地の継ぎ目とにおいては凸状の立体裁断が施されていることを特徴とする水着。
【請求項５】
前記裏地の前身頃において、着用者の腹部に相当する領域の伸縮性を他の領域より強くしたことを特徴とする請求項４に記載の水着。
【請求項６】
前記裏地を２枚重ねることにより、当該裏地の腹部に相当する領域の伸縮性を強化したことを特徴とする請求項５に記載の水着。
【請求項７】
着用者のバスト部及びヒップ部が覆われたワンピースタイプの水着において、
伸縮性を有し、立体裁断により成形される表地と；
伸縮性を有し、前記表地と異なるカットにより立体裁断された裏地とを備え、
前記表地の後身頃は、垂直方向に伸縮し易く水平方向に伸縮しにくい生地から形成され、
前記裏地の後身頃は、水平方向に伸縮し易く垂直方向に伸縮しにくい生地から形成されることを特徴とする水着。
【請求項８】
前記裏地の前身頃において、着用者の腹部に相当する領域の伸縮性を他の領域より強くしたことを特徴とする請求項７に記載の水着。
【請求項９】
前記裏地を２枚重ねることにより、当該裏地の腹部に相当する領域の伸縮性を強化したことを特徴とする請求項８に記載の水着。
【請求項１０】
着用者のバスト部及びヒップ部が覆われたワンピースタイプの水着において、
伸縮性を有し、立体裁断により成形される表地と；
伸縮性を有し、前記表地と異なるカットにより立体裁断された裏地とを備え、
前記表地の前身頃は、少なくとも着用者のバスト中央付近の継ぎ目で上下に接合される２枚の生地を有し、前記継ぎ目において凸状の立体裁断が施され、
前記裏地の前身頃は、少なくとも着用者のバスト中央付近の継ぎ目で上下に接合される第１及び第２の生地と、着用者のアンダーバスト付近で前記第２の生地と上下に接合され、着用者の腹部側に伸びる第３の生地とを有し、前記第１及び第２の生地の継ぎ目において凸状の立体裁断が施され、前記第２及び第３の生地の継ぎ目において凹状の立体裁断が施され、
前記裏地の前身頃において、着用者の腹部に相当する領域の伸縮性を他の領域より強くし、
前記表地の後身頃は、少なくとも着用者のヒップ中央付近の継ぎ目で左右に接合される２枚の生地を有し、前記継ぎ目において凸状の立体裁断が施され、
前記裏地の後身頃は、少なくとも着用者のヒップ中央付近の継ぎ目で左右に接合される第１及び第２の内側生地と、当該第１及び第２の内側生地の外側に各々接合される第１及び第２の外側生地とを有し、前記第１及び第２の内側生地の継ぎ目において凹状の立体裁断が施され、前記第１の内側生地及び第１の外側生地の継ぎ目と、前記第２の内側生地及び第２の外側生地の継ぎ目とにおいては凸状の立体裁断が施されることを特徴とする水着。
【請求項１１】
前記裏地を２枚重ねることにより、当該裏地の腹部に相当する領域の伸縮性を強化したことを特徴とする請求項１０に記載の水着。
【請求項１２】
前記表地の後身頃は、垂直方向に伸縮し易く水平方向に伸縮しにくい生地から構成され、
前記裏地の後身頃は、水平方向に伸縮し易く垂直方向に伸縮しにくい生地から構成されることを特徴とする請求項１０又は１１に記載の水着。
【発明の詳細な説明】
【０００１】
【発明の属する技術分野】
本発明は水着に関し、特に、体型補正機能に優れたワンピースタイプの水着に関する。
【０００２】
【従来の技術】
女性用水着の分野においては、シェイプアップ効果（体型補正機能）のある水着が種々考案されている。例えば、裏地に伸縮性の強い材質を用いることにより、着用者の身体を締め付けるものがある。
【０００３】
【発明が解決しようとする課題】
しかしながら、シェイプアップ効果を有する従来の水着では、バスト部及びヒップ部において好ましい補正効果が得られなかった。すなわち、バスト及びヒップが潰れてしまい、ボディーラインを美しく見せることが困難であった。
【０００４】
本発明は上記のような状況に鑑みてなされたものであり、ボディーラインを美しく見せる効果に優れた水着を提供することを目的とする。
【０００５】
【課題を解決するための手段】
上記のような課題を解決するために、本発明に係る水着は、伸縮性を有し、立体裁断により成形される表地と；伸縮性を有し、前記表地と異なるカットにより立体裁断された裏地とを備えている。このように、表地と裏地とにおいて異なるカット（型入れ）を採用することにより、自然な感じでボディーラインを綺麗に見せることが可能となる。すなわち、裏地によって身体の凹凸を強調するような補正を行うと同時に、表地によってボディーラインを滑らかに仕上げることが可能となる。
【０００６】
好ましくは、表地は着用者の身体の凸部に沿った立体裁断とし、裏地は着用者の身体の凹部及び凸部に沿った立体裁断とする。
【０００７】
バストラインの補正において好ましくは、表地の前身頃については、少なくとも着用者のバスト中央付近の継ぎ目で上下に接合される２枚の生地を有し、前記継ぎ目において凸状の立体裁断が施される。一方、裏地の前身頃については、少なくとも着用者のバスト中央付近の継ぎ目で上下に接合される第１及び第２の生地と、着用者のアンダーバスト付近で前記第２の生地と上下に接合され、着用者の腹部側に伸びる第３の生地とを有し、前記第１及び第２の生地の継ぎ目において凸状の立体裁断が施され、前記第２及び第３の生地の継ぎ目において凹状の立体裁断が施される。
【０００８】
上記のような構成により、裏地によってバストの膨らみ（凹凸）が強調され、表地によって自然なラインに仕上げることが可能となる。すなわち、裏地のアンダーバストに対応する位置にも立体裁断が施されているため、バスト全体の膨らみを出すだけでなく、アンダーバストを押さえることにより、バストの凹凸（立体感）がより強調される。表地にも凸状の立体裁断が施されているため、バストの膨らみが表地によって打ち消されることなく、バストの中央付近から腹部にかけて自然なラインを出すことができる。
【０００９】
更に、裏地の前身頃において、着用者の腹部に相当する領域の伸縮性を他の領域より強くすることにより、腹部（特に下腹部）の張り出しを抑えることができる。
【００１０】
ヒップラインの補正において好ましくは、表地の後身頃については、少なくとも着用者のヒップ中央付近の継ぎ目で左右に接合される２枚の生地を有し、前記継ぎ目において凸状の立体裁断を施される。一方、裏地の後身頃については、少なくとも着用者のヒップ中央付近の継ぎ目で左右に接合される第１及び第２の内側生地と、当該第１及び第２の内側生地の外側に各々接合される第１及び第２の外側生地とを有し、前記第１及び第２の内側生地の継ぎ目において凹状の立体裁断が施され、前記第１の内側生地及び第１の外側生地の継ぎ目と、前記第２の内側生地及び第２の外側生地の継ぎ目とにおいては凸状の立体裁断が施される。
【００１１】
上記のような構成により、裏地によってヒップの丸み（凹凸）が強調され、表地によって自然なラインに仕上げることが可能となる。すなわち、裏地によってヒップ全体に丸みを持たすだけでなく、ヒップの中央部分で縦方向の窪みを形成して、ヒップの立体感がより強調される。表地にも凸状の立体裁断が施されているため、ヒップの丸みが表地によって打ち消されることなく、滑らかなヒップラインを出すことが可能となる。
【００１２】
更に好ましくは、表地の後身頃を、垂直方向に伸縮し易く水平方向に伸縮しにくい生地から形成する。逆に、裏地の後身頃は、水平方向に伸縮し易く垂直方向に伸縮しにくい生地から形成する。裏地によってヒップを上に持ち上げ、表地によって左右への広がりを抑えることにより、丸みのあるヒップ形状を得ることが可能となる。
【００１３】
【発明の実施の形態】
図１は、本発明の実施例に係る水着１０の構成を示す斜視図；図２は実施例に係る水着１０の構成を示す正面図；図３は実施例に係る水着１０の構成を示す背面図である。水着１０は、全体的な構造で見ると、ボディー部１２，レッグ部１４，肩紐部１６とから構成される。ボディー部１２の前身頃の中央には、縦方向にファスナー１８が設けられている。着用時にはファスナー１８を開けて着用することになる。水着１０は、伸縮性を有し、立体裁断により成形される表地と；伸縮性を有し、表地と異なるカットにより立体裁断された裏地とを備えている。裏地は、表地よりも伸縮強度を高くする。
【００１４】
次に、水着１０を表地の構成領域で見ると、前身頃においては、図２に示すように、ファスナー１８の部分に沿って左右対称に分割されている。そして、右半身、左半身ともにバスト付近２０Ｒ，２０Ｌにおいて、バスト中央の水平方向に切り返し（継ぎ目）が形成され、上下別々の生地を接合させる構成となっている。接合は、通常の縫製によって行うことができる。バスト部２０Ｒ，２０Ｌにおいて、凸状の立体裁断が施されている。
【００１５】
右半身は、バストラインから下側の領域２２Ｒと、バストラインから上側の領域２４Ｒと、レッグ部１４Ｒとから構成される。同様にして、前身頃の左半身は、バストラインから下側の領域２２Ｌと、バストラインから上側の領域２４Ｌと、レッグ部１４Ｌとから構成される。なお、レッグ部１４Ｌ，１４Ｒは前後身頃に分割されず、各々１枚の生地片で形成されるため、以降の説明では省略する。
【００１６】
水着１０の後身頃においては、図３に示すように、肩胛骨付近の水平ラインより上側で背中上部を覆う領域２８と、右下側領域３０Ｒと左下側領域３０Ｌとを有している。なお、符号３２はヒップ部を示す。前身頃と後身頃の股間部には、１枚の生地小片が接合される。
【００１７】
図４は、実施例に係る水着１０の前身頃を構成する表地の生地片の形状を示す平面図である。また、図５は水着１０の前身頃を構成する裏地の生地片の形状を示す平面図である。なお、図４において図２と対応する領域、生地片については同一の符号を付すものとする。表地の材質としては、例えば、伸縮性を有するナイロンもしくはポリエステルとポリウレタンの交編ツーウェイトリコットを使用することができる。また、裏地の材質としては、例えば、メッシュ状に成形されたナイロンもしくはポリエステルとポリウレタンのパワーネット製の布を使用することができる。なお、本発明においては、表地に比べて裏地の伸縮性を強くすることが重要である。
【００１８】
図４に示すように表地の前身頃において、右半身については、バスト中央付近の継ぎ目で上下に接合される２枚の生地片２４Ｒ、２２Ｒを有し、バスト部２０Ｒに膨らみを持たす凸状の立体裁断が施される。すなわち、上側の生地片２４Ｒの下縁は下側に向かって凸状にカットされ、対向する下側の生地片２２Ｒの上縁は上側に向かって凸状にカットされる。なお、下側の生地片２２Ｒは、バスト部２０Ｒから腹部及び股間部まで延びており、ウエストに対応する位置にはくびれが形成され、ウエストラインを綺麗に見せる工夫が施されている。
【００１９】
同様に、左半身については、バスト中央付近の継ぎ目で上下に接合される２枚の生地片２４Ｌと２２Ｌとを有し、バスト部２０Ｌにおいて膨らみを持たす凸状の立体裁断が施される。すなわち、上側の生地片２４Ｌの下縁は下側に向かって凸状にカットされ、対向する下側の生地片２２Ｌの上縁は上側に向かって凸状にカットされる。なお、下側の生地片２２Ｌは、バスト部２０Ｌから腹部及び股間部まで延びており、ウエストに対応する位置にはくびれが形成され、ウエストラインを綺麗に見せる工夫が施されている。
【００２０】
裏地の前身頃においては、図５に示すように、右半身は、バスト中央付近の継ぎ目で上下に接合される２枚の生地片４４Ｒと４６Ｒと、生地片４４Ｒの下側で腹部及び股間部まで延びる生地片４０Ｒとを有する。生地片４４Ｒと４６Ｒとの継ぎ目はバスト部２０Ｒの中央付近水平方向に延びる。また、生地片４４Ｒと４０Ｒとの継ぎ目はバスト部２０Ｒのアンダーバスト付近水平方向に延びる。そして、生地片４４Ｒと４６Ｒとの継ぎ目には膨らみを持たす凸状の立体裁断が施され、生地片４４Ｒと４０Ｒとの継ぎ目には窪みを形成する凹状の立体裁断が施されている。すなわち、最上部の生地片４６Ｒの下縁は下側に向かって凸状にカットされ、対向する下側の生地４４Ｒの上縁は上側に向かって凸状にカットされている。また、バストの下側に位置する生地片４４Ｒの下縁は凹状にカットされ、腹部を覆う生地片４０Ｒの上縁も凹状にカットされる。生地片４０Ｒのウエストに対応する位置にはくびれが形成され、ウエストラインを綺麗に見せる工夫が施されている。
【００２１】
同様に、左半身は、バスト中央付近の継ぎ目で上下に接合される２枚の生地片４４Ｌと４６Ｌと、生地片４４Ｌの下側で腹部及び股間部まで延びる生地片４０Ｌとを有する。生地片４４Ｌと４６Ｌとの継ぎ目はバスト部２０Ｌの中央付近水平方向に延びる。また、生地片４４Ｌと４０Ｌとの継ぎ目はバスト部２０Ｌのアンダーバスト付近水平方向に延びる。そして、生地片４４Ｌと４６Ｌとの継ぎ目には膨らみを持たす凸状の立体裁断が施され、生地片４４Ｌと４０Ｌとの継ぎ目には窪みを形成する凹状の立体裁断が施されている。すなわち、最上部の生地片４６Ｌの下縁は下側に向かって凸状にカットされ、対向する下側の生地４４Ｌの上縁は上側に向かって凸状にカットされている。また、バストの下側に位置する生地片４４Ｌの下縁は凹状にカットされ、腹部を覆う生地片４０Ｌの上縁も凹状にカットされる。生地片４０Ｌのウエストに対応する位置にはくびれが形成され、ウエストラインを綺麗に見せる工夫が施されている。
【００２２】
裏地の前身頃において、腹部を覆う生地片４０Ｒ，４０Ｌには、少なくとも下腹部に対応する位置に更に１枚の生地片４２Ｒ，４２Ｌが重ねて接合される。これにより、着用者の下腹部に相当する領域の伸縮性を他の領域より強くし、下腹部の張り出しを抑えている。
【００２３】
図示しないが、バスト部２０Ｒ，２０Ｌの表地と裏地との間には、立体的なパッドが配置される。
【００２４】
上述のように、バスト２０Ｒ，２０Ｌにおけるカットを、表地と裏地と異なるものとすることにより、裏地によってバストの膨らみ（凹凸）を強調し、表地によって自然なラインに仕上げることが可能となる。すなわち、裏地のアンダーバストに対応する位置にも立体裁断が施されているため、バスト全体の膨らみを出すだけでなく、アンダーバストを押さえることにより、バストの凹凸（立体感）がより強調される。表地にも凸状の立体裁断が施されているため、バストの膨らみが表地によって打ち消されることなく、バストの中央付近から腹部にかけて自然なラインを出すことができる。
【００２５】
図６は、水着１０の表地の後身頃を構成する生地片の形状を示す平面図である。また、図７は、水着１０の後身頃を構成する裏地の生地片の形状を示す平面図である。表地においては、図６に示すように、肩胛骨付近の水平ラインより上側で背中上部を覆う生地片２８と、右下側の生地片３０Ｒと左下側の生地片３０Ｌとを有している。左右の生地片３０Ｌ，３０Ｒは、ヒップ部３２の中央付近の継ぎ目で接合され、当該継ぎ目においてヒップの丸みを出す凸状の立体裁断が施されている。すなわち、ヒップ部分３２において、生地片３０Ｌと３０Ｒの継ぎ目側の縁部がそれぞれ凸状にカットされる。
【００２６】
図６において、各生地片２８，３０Ｌ，３０Ｒの上に示された矢印は伸縮方向及び強度を示すものであり、実線の矢印が伸縮し易い方向を示し、破線の矢印が伸縮しにくい方向を示す。表地においては、比較的垂直方向に伸縮し易く、水平方向に伸縮しにくい構造となっている。
【００２７】
裏地の後身頃は、図７に示すように、表地の生地片２８と接合する背中上部を覆う部分が設けられていない。すなわち、裏地の後身頃は、ヒップ部３２の中央付近の継ぎ目で左右に接合される内側生地片５２Ｌ，５２Ｒと；これら内側生地片５２Ｌ，５２Ｒの外側に各々接合される外側生地片５０Ｌ，５０Ｒとから構成される。そして、内側生地片５２Ｌ，５２Ｒの継ぎ目において窪みを形成する凹状の立体裁断が施され、内側生地片５２Ｌと外側生地片５０Ｌとの継ぎ目には膨らみを持たす凸状の立体裁断が施され、同様に、内側生地片５２Ｒと外側生地片５０Ｒとの継ぎ目には膨らみを持たす凸状の立体裁断が施されている。すなわち、内側生地片５２Ｌ，５２Ｒの継ぎ目側縁部は各々凹状にカットされ、内側生地片５２Ｌと外側生地片５０Ｌとの継ぎ目側縁部は各々凸状にカットされ、内側生地片５２Ｒと外側生地片５０Ｒとの継ぎ目側縁部は各々凸状にカットされている。
【００２８】
図７において、各生地片５０Ｌ，５０Ｒ，５２Ｌ，５２Ｒの上に示された矢印は伸縮方向及び強度を示すものであり、実線の矢印が伸縮し易い方向を示し、破線の矢印が伸縮しにくい方向を示す。裏地においては、上述した表地とは逆に、水平方向に比較的伸縮し易く、垂直方向に伸縮しにくい構造となっている。
【００２９】
上述のような構成により、ヒップラインの補正に関し、裏地によってヒップの丸み（凹凸）が強調され、表地によって自然なラインに仕上げることが可能となる。裏地においては、ヒップ全体に丸みを持たすだけでなく、ヒップの中央部分で縦方向の窪みを形成して、ヒップの立体感（凹凸）をより強調している。表地にも凸状の立体裁断が施されているため、ヒップの丸みが表地によって打ち消されることなく、滑らかなヒップラインを出すことが可能となる。また、表地が垂直方向に伸縮し易く水平方向に伸縮しにくい生地からなり、逆に、裏地は水平方向に伸縮し易く垂直方向に伸縮しにくい生地から形成しているため、裏地によってヒップを上に持ち上げ、表地によって左右への広がりを抑えることにより、丸みのあるヒップ形状を得ることが可能となる。
【００３０】
以上、本発明の実施例について説明したが、本発明はこれらの実施例に何ら限定されるものではなく、特許請求の範囲に示された技術的思想の範疇において変更可能なものである。
【図面の簡単な説明】
【図１】図１は、本発明の実施例に係る水着の構成を示す斜視図である。
【図２】図２は、実施例に係る水着の構成を示す正面図である。
【図３】図３は、実施例に係る水着の構成を示す背面図である。
【図４】図４は、実施例に係る水着の前身頃を構成する布片（表地）の形状を示す平面図である。
【図５】図５は、実施例に係る水着の前身頃を構成する布片（裏地）の形状を示す平面図である。
【図６】図６は、実施例に係る水着の後身頃を構成する布片（表地）の形状を示す平面図である。
【図７】図７は、実施例に係る水着の後身頃を構成する布片（裏地）の形状を示す平面図である。
【符号の説明】
１０      水着（スイムスーツ）
１２      ボディー部
１４      レッグ部
１６      肩紐部
１８      ファスナー
２０Ｒ，２０Ｌ      バスト部
３２      ヒップ部
【図１】
0003810333.tif 000002
【図２】
0003810333.tif 000003
【図３】
0003810333.tif 000004
【図４】
0003810333.tif 000005
【図５】
0003810333.tif 000006
【図６】
0003810333.tif 000007
【図７】
0003810333.tif 000008